(57)【要約】【課題】本体の前面下部に設けた吹出口から大量のイオンを発生して、床面付近のダニやかびの繁殖を抑制し、除菌機能を発揮できる空気清浄機を提供することを目的としている。【解決手段】少なくとも本体１の前面下部に設けた下部吹出口２と、本体１の表面に設けた吸込口３から前記下部吹出口２に至る通風路４と、この通風路４に配した空気浄化フィルター５および送風機６を有し、前記下部吹出口２にマイナスイオン発生装置７を設けたことにより、床面近傍に設けた下部吹出口２からマイナスイオンを含んだ風を吹き出すことにより、カーペットや畳に生息するダニやカビに直接作用して繁殖を抑制するとともに、除菌効果をもたせることができる空気清浄機を提供できる。【選択図】図１
2009142356.tif 000002
【特許請求の範囲】
【請求項１】
少なくとも本体の前面下部に設けた下部吹出口と、本体の表面に設けた吸込口から前記下部吹出口に至る通風路と、この通風路に配した空気浄化フィルターおよび送風機を有し、前記下部吹出口にマイナスイオン発生装置を設けた空気清浄機。
【請求項２】
本体の上部に設けた上方吹出口と、送風機の吐出側と前記上方吹出口とを連通する補助通風路を有し、前記上方吹出口に第２のマイナスイオン発生装置を設けた請求項１記載の空気清浄機。
【請求項３】
本体の左右の側面部に一対の吸込口を設け、下部吹出口に水平方向と仰角方向に切り換え可能な風向変更板を備えた請求項１または２記載の空気清浄機。
【請求項４】
本体の操作部に留守運転モードを設け、留守運転モードが設定されたとき、制御部は所定時間だけ、下部吹出口の風向変更板を水平方向にして、送風機を強風運転してなる請求項３記載の空気清浄機。
【請求項５】
本体にガスセンサーを設け、前記ガスセンサーの検出値がしきい値を超えたときは、制御部は風向変更板を仰角方向に変更してなる請求項３記載の空気清浄機。
【請求項６】
下部吹出口に開閉蓋を設け、この開閉蓋を閉じたときに吸込側に連通する戻し風路を形成し、この戻し風路を通して、下部吹出口に設けたマイナスイオン発生装置からのマイナスイオンを、空気浄化フィルターに供給する構成とした請求項１または２記載の空気清浄機。
【請求項７】
本体に埃センサーを床面に近接して設け、前記埃センサーの検出値がしきい値を超えたときは、制御部は下部吹出口を開閉蓋により閉鎖するとともに、送風機を強風で運転してなる請求項６記載の空気清浄機。
【請求項８】
本体の前面に存在する人体を検出する人感センサーを設け、この人感センサーが人体を検出しているときは、制御部は下部吹出口を開閉蓋により閉塞してなる請求項６記載の空気清浄機。
【請求項９】
人感センサーが人体を検出していないときは、制御部は下部吹出口の開閉蓋を開放してなる請求項６記載の空気清浄機。
【請求項１０】
人感センサーが人体を検出していないときは、制御部は送風機を最大風量で運転してなる請求項９記載の空気清浄機。
【発明の詳細な説明】
【技術分野】
【０００１】
本発明は、吸込口から室内空気を取り入れてフィルタにより清浄化するとともに、吹出口からマイナスイオンを含む清浄空気を吹き出す空気清浄機に関する。
【背景技術】
【０００２】
従来、この種の空気清浄機は、図７に示すように、本体１０１に吸気口１０２、フィルタ１０３、イオン発生器１０４、下部放出口１０５、上部放出口１０６、ファン１０７およびダンパ１０８を備えている。下部放出口１０５は床面１０９の近傍に配置され、また上部放出口１０６は上向きに配置されている。室内空気は吸気口１０２から取り入れられ、フィルタ１０３により塵埃を濾し取る。本体１０１内のイオン発生器１０４は、吸気口１０２から取り入れられた空気中にマイナスイオンを発生することにより、下部放出口１０５と上部放出口１０６からマイナスイオンを含む空気を放出し、ダンパ１０８は下部放出口１０５と上部放出口１０６からマイナスイオンを含む空気の放出量の割合を切り換えるものである。
【特許文献１】特開２００７−２３６４７０号公報
【発明の開示】
【発明が解決しようとする課題】
【０００３】
このような従来の空気清浄機では、ファンの吸気側にイオン発生装置が設けられているため、本体内のファン、ダンパおよび通風路を通過するときに、マイナスイオンが各部品の表面に付着して、下部放出口から吹き出されるイオン量が大幅に減少するため、除菌機能が充分に発揮できないという課題があり、下部放出口から多量のマイナスイオンを放出することが要求されている。
【０００４】
本発明は、このような従来の課題を解決するものであり、本体の前面下部に設けた吹出口から大量のマイナスイオンを発生して、床面付近のダニやかびの繁殖を抑制し、除菌機能を発揮できる空気清浄機を提供することを目的としている。
【課題を解決するための手段】
【０００５】
本発明の空気清浄機は、上記目的を達成するために、少なくとも本体の前面下部に設けた下部吹出口と、本体の表面に設けた吸込口から前記下部吹出口に至る通風路と、この通風路に配した空気浄化フィルターおよび送風機を有し、前記下部吹出口にマイナスイオン発生装置を設けたものである。
【０００６】
また、他の手段は、本体の上部に設けた上方吹出口と、送風機の吐出側と前記上方吹出口とを連通する補助通風路を有し、前記上方吹出口に第２のマイナスイオン発生装置を設けたものである。
【０００７】
また、他の手段は、本体の左右の側面部に一対の吸込口を設け、下部吹出口に水平方向と仰角方向に切り換え可能な風向変更板を備えたものである。
【０００８】
また、他の手段は、本体の操作部に留守運転モードを設け、留守運転モードが設定されたとき、制御部は所定時間だけ、下部吹出口の風向変更板を水平方向にして、送風機を強風運転してなるものである。
【０００９】
また、他の手段は、本体にガスセンサーを設け、前記ガスセンサーの検出値がしきい値を超えたときは、制御部は風向変更板を仰角方向に変更してなるものである。
【００１０】
また、他の手段は、下部吹出口に開閉蓋を設け、この開閉蓋を閉じたときに吸込側に連通する戻し風路を形成し、この戻し風路を通して、下部吹出口に設けたマイナスイオン発生装置からのマイナスイオンを、空気浄化フィルターに供給する構成としたものである。
【００１１】
また、他の手段は、本体に埃センサーを床面に近接して設け、前記埃センサーの検出値がしきい値を超えたときは、制御部は下部吹出口を開閉蓋により閉鎖するとともに、送風機を強風で運転してなるものである。
【００１２】
また、他の手段は、本体の前面に存在する人体を検出する人感センサーを設け、この人感センサーが人体を検出しているときは、制御部は下部吹出口を開閉蓋により閉塞してなるものである。
【００１３】
また、他の手段は、人感センサーが人体を検出していないときは、制御部は下部吹出口の開閉蓋を開放してなるものである。
【００１４】
また、他の手段は、人感センサーが人体を検出していないときは、制御部は送風機を最大風量で運転してなるものである。
【発明の効果】
【００１５】
本発明によれば、少なくとも本体の前面下部に設けた下部吹出口と、本体の表面に設けた吸込口から前記下部吹出口に至る通風路と、この通風路に配した空気浄化フィルターおよび送風機を有し、前記下部吹出口にマイナスイオン発生装置を設けたことにより、床面近傍に設けた下部吹出口からマイナスイオンを含んだ風を吹き出すことにより、カーペットや畳に生息するダニやカビに直接作用して繁殖を抑制するとともに、除菌効果をもたせることができるという効果のある空気清浄機を提供することができる。
【００１６】
また、本体の上部に設けた上方吹出口と、送風機の吐出側と前記上方吹出口とを連通する補助通風路を有し、前記上方吹出口に第２のマイナスイオン発生装置を設けたことにより、上方吹出口と下部吹出口から吹き出されるマイナスイオンを含む上下２つの循環気流により、マイナスイオンを部屋中に充満させることができ、床面、壁面やカーテンに付着するダニ、カビ、雑菌などの繁殖を抑制し、室内空間に浮遊する粉塵を吸込口へと効率良く案内することができる。
【００１７】
また、本体の左右の側面部に一対の吸込口を設け、下部吹出口に水平方向と仰角方向に切り換え可能な風向変更板を備えたことにより、下部吹出口に設けた風向変更板により、下部吹出口からの風向を水平方向または仰角方向に調整でき、仰角方向に吹き出すときは、床面にある書類などの飛散を防いで室内に清浄空気を循環させ、水平方向に吹き出すときは、床面のダニやカビの繁殖を抑制し、除菌効果を得ることができる。            
【００１８】
また、本体の操作部に留守運転モードを設け、留守運転モードが設定されたとき、制御部は所定時間だけ、下部吹出口の風向変更板を水平方向にして、送風機を強風運転することにより、使用者が外出するときなどに、操作部にて留守運転モードを設定すれば、居住領域である畳やカーペットなどの表面にマイナスイオンを含んだ清浄空気を強風で所定時間だけ吹き出すことにより、ダニやかびの繁殖を抑制し、脱臭機能を発揮することができる。
【００１９】
また、本体にガスセンサーを設け、前記ガスセンサーの検出値がしきい値を超えたときは、制御部は風向変更板を仰角方向に変更することにより、タバコ臭などの空気汚れをガスセンサーで検出したときは、制御部が下部吹出口の風向変更板を仰角方向に変更して、清浄空気を上方吹出口とともに吹き出して、室内の上方空間にスムーズに循環させ、臭気成分などのガス状物質を吸込口に導き入れて、効率よく除去することができる。
【００２０】
また、下部吹出口に開閉蓋を設け、この開閉蓋を閉じたときに吸込側に連通する戻し風路を形成し、この戻し風路を通して、下部吹出口に設けたマイナスイオン発生装置からのマイナスイオンを、空気浄化フィルターに供給する構成としたことにより、下部吹出口に設けた開閉蓋を閉じたときに、吹き出し風が空気浄化フィルターに戻る戻し風路を設けているので、マイナスイオンを帯びた清浄空気が空気浄化フィルターに吸い込まれ、空気浄化フィルターに付着した臭気成分を分解し、埃などに含まれるダニやカビの繁殖を抑制することができる。
【００２１】
また、本体に埃センサーを床面に近接して設け、前記埃センサーの検出値がしきい値を超えたときは、制御部は下部吹出口を開閉蓋により閉鎖するとともに、送風機を強風で運転することにより、埃センサーを床面に近接させて取り付け、床から舞い上がる粉塵を即座に検出したとき、下部吹出口に設けた開閉蓋を閉じるとともに、強ノッチで送風機を運転することにより、床面付近に浮遊する粉塵の飛散を防止しつつ集塵効率を高め、ドラフト感を防ぐことができる。
【００２２】
また、本体の前面に存在する人体を検出する人感センサーを設け、この人感センサーが人体を検出しているときは、制御部は下部吹出口を開閉蓋により閉塞することにより、人感センサーにより、使用者が空気清浄機の前面にいるときは、下方吹出口の開閉蓋を閉塞することにより、寒冷時のドラフト感を防ぎ、快適性を向上させるとともに、新聞や書類などが飛散しないようにできる。
【００２３】
また、人感センサーが人体を検出していないときは、制御部は下部吹出口の開閉蓋を開放することにより、人感センサーにより、本体前面に使用者がいないときは下部吹出口の開閉蓋を開放して、床面付近にマイナスイオンを含んだ清浄空気を吹き出して、居住域の床面を清潔に保つことができる。
【００２４】
また、人感センサーが人体を検出していないときは、制御部は送風機を最大風量で運転することにより、人感センサーが人体を検出していないときは、送風機を最大風量で運転することにより、本体の騒音やドラフト感の影響を受けることなく、居住域の床面や室内空間を短時間で清浄することができる。
【発明を実施するための最良の形態】
【００２５】
本発明の請求項１記載の空気清浄機は、少なくとも本体の前面下部に設けた下部吹出口と、本体の表面に設けた吸込口から前記下部吹出口に至る通風路と、この通風路に配した空気浄化フィルターおよび送風機を有し、前記下部吹出口にマイナスイオン発生装置を設けたものであり、本体の前面下部に下部吹出口を設け、本体の天面に上方吹出口を設け、本体の表面に設けた吸込口から前記下部吹出口に至る通風路と、この通風路に配した空気浄化フィルターおよび送風機を有し、前記下部吹出口にマイナスイオン発生装置を設けることにより、床面近傍に設けた下部吹出口からマイナスイオンを含んだ風を吹き出すことができるため、機器内の通風路や障害物によりマイナスイオン量が減衰することなくマイナスイオン発生装置から放出され、大量のマイナスイオンが床面に沿って吹きだすことができるため、床面に敷かれたカーペットや畳に生息するダニやカビに直接作用して繁殖を抑制するとともに、除菌効果をもたせることができるという作用を有する。        
【００２６】
また、本体の上部に設けた上方吹出口と、送風機の吐出側と前記上方吹出口とを連通する補助通風路を有し、前記上方吹出口に第２のマイナスイオン発生装置を設けたものであり、上方吹出口の通風路内部に第２のマイナスイオン発生装置を装着し、上方吹出口からもフィルターにより浄化した空気とともにマイナスイオンを吹き出させ、上方上方吹出口と下部吹出口からのマイナスイオンを含んだ空気が、上方向および下方向から廻りこんで中央付近で合流して、室内空間に２つの循環エリアを形成し、循環気流が床面および壁面に沿って移動するときにマイナスイオンの作用によりカビや雑菌の繁殖を抑制できるとともに、室内空間に浮遊する粉塵を本体の吸込口に効率良く案内することができるという作用を有する。
【００２７】
また、本体の左右の側面部に一対の吸込口を設け、下部吹出口に水平方向と仰角方向に切り換え可能な風向変更板を備えたものであり、下部吹出口に風向変更板を備え、この風向変更板を仰角方向に設定することにより、堆積した埃や書類等の飛散を防いで室内に清浄空気を循環させ、水平方向に吹き出すときは、床面のにおいやカビの発生の抑制、除菌効果を得ることができ、また本体の左右の側面部に一対の吸込口を設けることにより、マイナスイオンを含んだ吹出風を本体前面にから側面に回り込ませて、下部吹出口からのショートサーキットを防ぎ、マイナスイオンを含む清浄空間を本体の前面に形成することができるという作用を有する。
【００２８】
また、本体の操作部に留守運転モードを設け、留守運転モードが設定されたとき、制御部は所定時間だけ、下部吹出口の風向変更板を水平方向にして、送風機を強風運転するとしたものであり、使用者が本体の操作部にて、留守運転モードを設定したときは、制御部は下部吹出口の風向変更板を水平方向に設定するとともに、送風機を強風に設定して所定時間だけタイマー運転を行なうことにより、使用者が外出するときなどに、室内にこもった空気汚れを清浄化するとともに、使用者の居住領域である畳やカーペットなどの表面にマイナスイオンを含んだ清浄空気を吹き出して、ダニやかびの繁殖を抑制するとともに、除菌機能を発揮することができるという作用を有する。
【００２９】
また、本体にガスセンサーを設け、前記ガスセンサーの検出値がしきい値を超えたときは、制御部は風向変更板を仰角方向に変更してなるものであり、室内に浮遊する悪臭成分などをガスセンサーで感知し、タバコ臭などの空気汚れが大きいときは、制御部は下部吹出口に設けた風向変更板を仰角方向に変更することにより、上方吹出口と合わせて清浄空気を上下から吹き出す相乗作用で室内の上方空間にスムーズに循環させ、ガス状の比較的軽い汚染空気を本体の吸込口に案内することができる。また、このとき送風機を強ノッチで運転することにより、室内全体へ清浄空気を素早く充満させることができるという作用を有する。
【００３０】
また、下部吹出口に開閉蓋を設け、この開閉蓋を閉じたときに吸込側に連通する戻し風路を形成し、この戻し風路を通して、下部吹出口に設けたマイナスイオン発生装置からのマイナスイオンを、空気浄化フィルターに供給する構成としたものであり、前面の下部吹出口から送風する必要のないときは、下部吹出口に設けた開閉蓋を閉鎖することにより、このとき連通されるように構成した戻り風路を通して、マイナスイオンを帯びた清浄空気がショートサーキットして空気浄化フィルターへ戻るため、空気浄化フィルターにマイナスイオンを供給することができ、空気浄化フィルターに付着した臭気成分を軽減するとともに、捕集した埃などに含まれるダニやカビの繁殖を抑制し、雑菌やウイルスなどを不活化することができるという作用を有する。
【００３１】
また、本体に埃センサーを床面に近接して設け、前記埃センサーの検出値がしきい値を超えたときは、制御部は下部吹出口を開閉蓋により閉鎖するとともに、送風機を強風で運転してなるものであり、床面付近の粉塵などの汚染度を埃センサーで検出し、その検出値があらかじめ定めたしきい値を超えたときは、制御部が下部吹出口に設けた開閉蓋を閉じるとともに、強ノッチでファンを運転することにより、床面付近に浮遊する粉塵の飛散を防止し、かつ本体の吸込口方向への気流を形成しやすくするとともに、人体に強風が当たらないようにして、ドラフト感を防ぐことができるという作用を有する。
【００３２】
また、本体の前面に存在する人体を検出する人感センサーを設け、この人感センサーが人体を検出しているときは、制御部は下部吹出口を開閉蓋により閉塞してなるものであり、本体の前面に使用者がいるときは、人感センサーにより検出され、制御部は下部吹出口の開閉蓋を閉じることにより、上方吹出口などから清浄空気を吹き出して、使用者に直接風を当てないようにして寒冷時のドラフト感を防止できるとともに、床面などに置いた新聞や書類などが飛散しないようにすることができるという作用を有する。
【００３３】
また、人感センサーが人体を検出していないときは、制御部は下部吹出口の開閉蓋を開放してなるものであり、本体の前面に使用者がいないときは、人感センサーにより検出されないので、制御部は下部吹出口の開閉蓋を開放することにより、床面付近にマイナスイオンを含んだ清浄空気を多く吹き出すことができ、カーペットなどに付着した臭いを軽減し、ダニやカビの繁殖を抑制することができるという作用を有する。
【００３４】
また、人感センサーが人体を検出していないときは、制御部は送風機を最大風量で運転してなるものであり、人感センサーが人体を検出していないときは、室内に使用者がいないと判断して、制御部が送風機を最大風量で運転することにより、室内空間を短時間で清浄することができ、使用者が部屋に戻ったときに、居住域の床面および室内空気は効率よく清浄化され、本体の騒音やドラフト感の影響を受けないようにすることができるという作用を有する。
【００３５】
以下、本発明の実施の形態について、図面を参照しながら説明する。
【００３６】
（実施の形態１）
図１〜図３に示すように、少なくとも本体１の前面下部に設けた下部吹出口２と、本体１の表面に設けた吸込口３から下部吹出口２に至る通風路４と、この通風路４に配した空気浄化フィルター５および送風機６を有し、下部吹出口２にマイナスイオン発生装置７を設けている。
【００３７】
また、本体１の上部に設けた上方吹出口８と、送風機６の吐出側と上方吹出口８とを連通する補助通風路９を有し、上方吹出口８に第２のマイナスイオン発生装置１０を設けている。
【００３８】
また、本体１の左右の側面部に一対の吸込口３を設け、下部吹出口２に水平方向と仰角方向に切り換え可能な風向変更板１２を備えている。
【００３９】
また、本体１の操作部１３に留守運転モード（図示せず）を設け、留守運転モードが設定されたとき、制御部１４は所定時間だけ、下部吹出口２の風向変更板１２を水平方向にして、送風機６を強風運転するものである。
【００４０】
また、本体１にガスセンサー１５を設け、このガスセンサー１５の検出値がしきい値を超えたときは、制御部１４は風向変更板１２を仰角方向に変更する構成としている。
【００４１】
また、下部吹出口２に水平方向と仰角方向に切り換え可能な風向変更板１２を備えた構成としている。
【００４２】
上記構成により、本体１の前面下部に下部吹出口２を設け、本体１の天面に上方吹出口８を設け、本体１の表面に設けた吸込口３から下部吹出口２に至る通風路４と、この通風路４に配した空気浄化フィルター５および送風機６を有し、下部吹出口２にマイナスイオン発生装置７を設けることにより、床面近傍に設けた下部吹出口２からマイナスイオンを含んだ風を吹き出すことができるため、本体１内の通風路４や障害物によりマイナスイオン量が減衰することなく、マイナスイオン発生装置７から放出された大量のマイナスイオンを床面に沿って吹きだすことができるため、床面に敷かれたカーペットや畳に生息するダニやカビに直接作用して繁殖を抑制するとともに、除菌効果をもたせることができる。
【００４３】
また、上方吹出口８の通風路内部に第２のマイナスイオン発生装置１０を装着し、上方吹出口８からも空気浄化フィルター５により浄化した空気とともにマイナスイオンを吹き出させ、上方吹出口８と下部吹出口２からのマイナスイオンを含んだ空気が、上方向および下方向から廻りこんで中央付近で合流して、室内空間に２つの循環エリアを形成し、循環気流が床面および壁面に沿って移動するときにマイナスイオンの作用によりカビや雑菌の繁殖を抑制できるとともに、室内空間に浮遊する粉塵を本体１の吸込口３に効率良く案内することができる。
【００４４】
また、下部吹出口２に風向変更板１２を備え、風向変更板１２を仰角方向に設定することにより、堆積した埃や書類等の飛散を防いで室内に清浄空気を循環させ、水平方向に吹き出すときは、床面のにおいやカビの発生の抑制、除菌効果を得ることができる。
【００４５】
また、本体１の左右の側面部に一対の吸込口３を設けることにより、マイナスイオンを含んだ吹出風を本体前面にから側面に回り込ませて、下部吹出口２からのショートサーキットを防ぎ、マイナスイオンを含む清浄空間を本体１の前面に形成することができる。
【００４６】
また、使用者が本体１の操作部１３にて、留守運転モードを設定したときは、制御部１４は下部吹出口２の風向変更板１２を水平方向に設定するとともに、送風機６を強風に設定して所定時間だけタイマー運転を行なうことにより、使用者が外出するときなどに、室内にこもった空気汚れを清浄化するとともに、使用者の居住領域である畳やカーペットなどの表面にマイナスイオンを含んだ清浄空気を吹き出して、ダニやかびの繁殖を抑制するとともに、除菌機能を発揮することができる。
【００４７】
また、室内に浮遊する悪臭成分などをガスセンサーで感知し、タバコ臭などの空気汚れが大きいときは、制御部１４は下部吹出口２に設けた風向変更板１２を仰角方向に変更することにより、上方吹出口８と合わせて清浄空気を上下から吹き出す相乗作用で室内の上方空間にスムーズに循環させ、ガス状の比較的軽い汚染空気を本体１の吸込口３に案内することができる。
【００４８】
また、このとき送風機６を強ノッチで運転することにより、室内全体へ清浄空気を素早く充満させることができる。
【００４９】
（実施の形態２）
図４〜図６に示すように、下部吹出口２に開閉蓋１７を設け、この開閉蓋１７を閉じたときに吸込側に連通する戻し風路１８を形成し、この戻し風路１８を通して、下部吹出口２に設けたマイナスイオン発生装置７からのマイナスイオンを、空気浄化フィルター５に供給するものである。
【００５０】
また、本体１に埃センサー１９を床面に近接して設け、埃センサー１９の検出値がしきい値を超えたときは、制御部１４は下部吹出口２を開閉蓋１７により閉鎖するとともに、送風機６を強風で運転するものである。
【００５１】
また、本体１の前面に存在する人体２１を検出する人感センサー２０を設け、この人感センサー２０が人体２１を検出しているときは、制御部１４は下部吹出口２を開閉蓋１７により閉塞してなるものである。
【００５２】
また、人感センサー２０が人体２１を検出していないときは、制御部１４は下部吹出口２の開閉蓋１７を開放す人感センサー２０が人体２１を検出していないときは、制御部１４は送風機６を最大風量で運転するものである。
【００５３】
上記構成により、前面の下部吹出口２から送風する必要のないときは、下部吹出口２に設けた開閉蓋１７を閉鎖することにより、このとき本体１内で連通されるように構成した戻し風路１８を通して、マイナスイオンを帯びた清浄空気がショートサーキットして空気浄化フィルター５へ戻るため、空気浄化フィルター５にマイナスイオンを供給することができ、空気浄化フィルター５に付着した臭気成分を分解して無臭化するとともに、捕集した埃などに含まれるダニやカビの繁殖を抑制し、雑菌やウイルスなどを不活化することができる。
【００５４】
また、床面付近の粉塵などの汚染度を埃センサー１９で検出し、その検出値があらかじめ定めたしきい値を超えたときは、制御部１４が下部吹出口２に設けた開閉蓋１７を閉じるとともに、強ノッチで送風機６を運転することにより、床面付近に浮遊する粉塵の飛散を防止し、かつ本体１の吸込口３方向への気流を形成しやすくするとともに、人体２１に強風が当たらないようにして、ドラフト感を防ぐことができる。
【００５５】
また、本体１の前面に使用者がいるときは、人感センサー２０により検出されると、制御部１４は下部吹出口２の開閉蓋１７を閉じることにより、上方吹出口８などから清浄空気を吹き出して、使用者に直接風を当てないようにして寒冷時のドラフト感を防止できるとともに、床面などに置いた新聞や書類などが飛散しないようにすることができる。
【００５６】
また、本体１の前面に使用者がいないときは、人感センサー２０により検出されないので、制御部１４は下部吹出口２の開閉蓋１７を開放することにより、床面付近にマイナスイオンを含んだ清浄空気を多く吹き出すことができ、カーペットなどに付着した臭いを軽減し、ダニやカビの繁殖を抑制することができる。
【００５７】
また、人感センサー２０が人体２１を検出していないときは、室内に使用者がいないと判断して、制御部１４が送風機６を強風または最大風量で運転することにより、室内空間を短時間で清浄することができ、使用者が部屋に戻ったときに、居住域の床面および室内空気は効率よく清浄化され、使用者が本体１の強風運転などによる騒音やドラフト感の影響を受けないようにすることができる。
【図面の簡単な説明】
【００５８】
【図１】本発明の実施の形態１の空気清浄機の外観斜視図
【図２】同、通風路および風向変更板の仰角状態を示す断面図
【図３】同、風向変更板の水平状態を示す要部断面図
【図４】（イ）本発明の実施の形態２の空気清浄機の断面図、（ロ）同、開閉蓋の開放状態を示す要部断面図
【図５】同、埃センサーの取付け状態を示す外観斜視図
【図６】同、空気清浄機の人感センサーと開閉蓋の閉鎖状態を示す断面図
【図７】従来の空気清浄機の構成を示す断面図
【符号の説明】
【００５９】
１    本体
２    下部吹出口
３    吸込口
４    通風路
５    空気浄化フィルター
６    送風機
７    マイナスイオン発生装置
８    上方吹出口
９    補助通風路
１０  第２のマイナスイオン発生装置
１２  風向変更板
１３  操作部
１４  制御部
１５  ガスセンサー
１７  開閉蓋
１８  戻し風路
１９  埃センサー
２０  人感センサー
２１  人体
【図１】
2009142356.tif 000003
【図２】
2009142356.tif 000004
【図３】
2009142356.tif 000005
【図４】
2009142356.tif 000006
【図５】
2009142356.tif 000007
【図６】
2009142356.tif 000008
【図７】
2009142356.tif 000009